(57)【要約】【課題】  解除釦のがたつきを抑えることができる端子装置を提供する。【解決手段】  それぞれ電線が挿入される複数個の電線挿入穴２４が設けられたハウジング１と、それぞれハウジング１に収納され電線挿入穴２４に挿入された電線が接続される端子部３４を有する１個の接地導電ブロック３１及び２個の電圧導電ブロック３２とを備える。ハウジング１内において、互いに極性の異なる電線が接続される端子部３４の間を、端子部３４の並ぶ方向に隙間を空けて対向する２枚の仕切り壁１２によって仕切るとともに、解除釦２５において２枚の仕切り壁１２を挟む凸部２５ｄの間隔を、仕切り壁１２の互いに背向する面の間隔よりも僅かに大きくした。端子部３４間を１枚の仕切り壁１２で仕切る場合に比べ、寸法精度の低下を招くことなく解除釦２５のがたつきを抑えるとともに、トラッキングの発生を抑えることができる。【選択図】図１
2007042297.tif 000002
【特許請求の範囲】
【請求項１】
収納凹部が設けられたボディとボディに結合して収納凹部を覆うカバーとを有しそれぞれ収納凹部に連通し電線が挿入される複数個の電線挿入口が設けられたハウジングと、収納凹部内においてハウジング内の電線挿入口に臨む位置にそれぞれ配置され電線挿入口を通してハウジングに導入された電線が接続される複数個の端子部とを備え、
各端子部は、それぞれ、電線挿入口を通してハウジングに導入された電線に接触導通する端子板と、電線挿入口を通してハウジングに導入された電線を端子板との間に鎖錠する鎖錠ばねとを有し、
ボディには、互いに極性の異なる電線が接続される端子部の間を仕切る仕切り部が設けられ、仕切り部は、端子部が並ぶ方向に隙間を空けて互いに対向する複数枚の仕切り壁からなり、
ハウジング外に露出してハウジング外からの押力を受ける操作部と、操作部が受けた押力を仕切り部を挟んで互いに異なる側の端子部の鎖錠ばねにそれぞれ伝達して鎖錠を解除させる２個の解除部とを有する解除釦を備え、
解除釦の解除部間の隙間の幅寸法が、解除部に挟まれた仕切り部の幅寸法よりも僅かに大きいことを特徴とする端子装置。
【請求項２】
２枚の仕切り壁からなる仕切り部を有することを特徴とする請求項１記載の端子装置。
【請求項３】
合成樹脂成形品としてカバーに一体化された解除釦を有することを特徴とする請求項１又は２記載の端子装置。
【発明の詳細な説明】
【技術分野】
【０００１】
本発明は、速結端子構造の端子部を複数個備える端子装置に関するものである。
【背景技術】
【０００２】
従来から、負荷に接続された電線と電源に接続された電線とを容易に接続できるように、図７に示すような端子装置が提供されている（例えば、特許文献１参照）。以下、上下方向は図７を基準とし、図７の左上−右下方向を左右方向と呼び、図７の左下−右上方向を前後方向と呼ぶ。
【０００３】
この端子装置は、それぞれ電線が挿入される複数個の電線挿入口２４が設けられたハウジング１を有する。ハウジング１は、合成樹脂成形品からなり収納凹部１３が上面に設けられたボディ１０と、合成樹脂成形品からなりボディ１０に結合して収納凹部１３を覆うカバー２０とからなる。
【０００４】
また、収納凹部１３の底面には、前後方向に長い２枚の仕切り壁１２が突設され、収納凹部１３は仕切り壁１２により、左右に並ぶ３個の収納室１３ａ〜１３ｃに分割されている。
【０００５】
収納室１３ａ〜１３ｃのうち、右端の収納室１３ａには負荷の接地線が接続されるとともに接地される接地導電ブロック３１が収納され、他の２個の収納室１３ｂ，１３ｃにはそれぞれ負荷に接続される電線と電源に接続される電線とが接続される電圧導電ブロック３２が収納されている。各導電ブロック３１，３２は、それぞれ電線挿入口２４から挿入された電線が接続される端子部３４を２個ずつ有する。接地導電ブロック３１の端子部３４には負荷の接地線が接続され、各電圧導電ブロック３２の端子部３４には互いに極性の異なる電線が接続される。
【０００６】
各端子部３４は、図８（ａ）に示すように、主片３５ａの短手方向の一端から上方に突設された側片３５ｂと、側片３５ｂの前端縁から主片３５ａと同じ側に突設された基部片３５ｃと、基部片３５ｃから後方に突設され後端に向かって上方へ傾斜して上下にばね性を有する鎖錠片３５ｄとを有する。鎖錠片３５ｄの後端縁において側片３５ｂに近い側の端部には切り欠かれて鎖錠縁３５ｅが設けられ、鎖錠片３５ｄの後端縁において切り欠かれていない部位は下方へ曲げられている。また、側片３５ｂの上端部には、中心軸が前後方向に向けられた円筒の一部であって上面を凸とする半円筒形状の案内片３５ｆが鎖錠片３５ｄと同じ側へ突設されている。案内片３５ｆの中心軸は、前方へ向かって上方へ傾斜している。さらに、側片３５ｂには、主片３５ａと鎖錠片３５ｄとの間に位置する接続片３５ｇを設けてある。接続片３５ｇは前端部が側片３５ｂに連結され、後部は後方へ向かって上方へ傾斜し、上下にばね性を有する。
【０００７】
そして、図８（ｂ）に示すように電線挿入口２４から挿入された電線は、接続片３５ｇによって案内片３５ｆに押しつけられて端子部３４に接触導通するとともに、鎖錠縁３５ｅが食い込むことによって抜け止めされる（鎖錠される）。つまり、案内片３５ｆが請求項における端子板である。ここで、接続片３５ｇが電線に引っ掛かることがないように、接続片３５ｇの後端部は、電線に接触する上面が凸曲面となるように曲げられている。また、鎖錠された電線３７の左右方向への移動は、鎖錠片３５ｄの後端縁に設けられた切り欠きによる段差と、案内片３５ｆの凹曲面とによって規制される。
【０００８】
また、ハウジング１には、それぞれ鎖錠片３５ｄを押圧して鎖錠を解除するための複数個の解除釦２５が設けられている。各解除釦２５は、それぞれ、Ｕ字形状のスリットにより前端を除いてカバー２０の他の部位から分離され、カバー２０の他の部位に対して上下に揺動可能となっている。
【０００９】
詳しく説明すると、解除釦２５は、カバー２０の他の部位よりも薄肉に形成されてばね性を有する支持部２５ａと、支持部２５ａを介してカバー２０の他の部位に対し揺動可能に支持された釦本体２５ｂとを有する。釦本体２５ｂは、図９（ａ）（ｂ）に示すように、仕切り壁１２の上側に位置しカバー２０の上面に露出する連結部２５ｃと、連結部２５ｃの左右の端部からそれぞれ下方へ突設された凸部２５ｄとを有し、断面形状が下向きに開口したコ字形状となっている。左側の解除釦２５では、各凸部２５ｄが左側の仕切り壁１２を挟んだ互いに異なる側において互いに異なる電圧導電ブロック３２の鎖錠片３５ｄの上側に位置する。また、右側の解除釦２５では、右側の凸部２５ｄが接地導電ブロック３１の鎖錠片３５ｄの上側に位置し、左側の凸部２５ｄが１枚の仕切り壁１２を挟んで右側の突部２５ｄの反対側に位置する。
【００１０】
電線挿入穴２４に挿入された電線３７の鎖錠を解除する際には、図９（ａ）及び図１０に示すように例えばマイナスドライバーのような治具４３を用いて解除釦２５の連結部２５ｃを下方へ押し込めば、図９（ｂ）及び図１０の破線で示すように鎖錠片３５ｄが凸部２５ｄにより下方へ押圧されて弾性変形する。すると、鎖錠片３５ｄが案内片３５ｆから離れて鎖錠が解除され、電線３７を電線挿入穴２４から抜くことができるようになる。ここで、左側の解除釦２５は２個の電圧導電ブロック３２の鎖錠片３５ｄに跨っているから、左側の解除釦２５を押操作すれば電圧側の２個の電線挿入穴２４における鎖錠を同時に解除することができる。また、右側の解除釦２５を押操作すれば接地側の電線挿入穴２４における鎖錠を解除することができる。鎖錠が解除された電線３７を引き抜いた後は、解除釦２５への押力を解除すれば、解除釦２５は支持部２５ａのばね力により復帰し、鎖錠片３５ｄは自らのばね力により復帰する。
【特許文献１】特開２０００−２４３４７７号公報
【発明の開示】
【発明が解決しようとする課題】
【００１１】
ところで、２個の端子部３４に対応した左側の解除釦２５が押操作されたときに左右に傾くようにがたついた場合、鎖錠の解除に必要な解除釦２５の動作幅に対して傾きの程度が大きいと、一方の端子部３４の鎖錠のみが解除されて他方の端子部３４の鎖錠が解除されない可能性がある。このようなことを防ぎ、解除釦２５への１回の押操作で２個の端子部３４での鎖錠を確実に解除可能とするには、解除釦２５の可動範囲を比較的に大きくする必要があるが、解除釦２５の可動範囲を大きくすれば、鎖錠片３５ｄを必要以上に変形させてヘタリを発生させる可能性が生じる。
【００１２】
一方、上記のような解除釦２５のがたつきを抑えるには、解除釦２５の凸部２５ｄの互いに対向する面が仕切り壁１２の左右の面によってガイドされるようにすればよい。これを実現するためには、解除釦２５の凸部２５ｄ間の距離を仕切り壁１２の左右方向の寸法（以下、「幅寸法」と呼ぶ。）に近付け、仕切り壁１２の左右の面と凸部２５ｄの互いに対向する面との距離を小さくする必要がある。
【００１３】
しかし、電圧導電ブロック３２間の絶縁を確保するためには電圧導電ブロック３２間の距離を確保する必要があるため、これらの電圧導電ブロック３２の端子部３４の鎖錠を同時に解除する左側の解除釦２５では、凸部２５ｄの互いに背向する面の距離も確保する必要がある。このため、従来は、左側の解除釦２５の凸部２５ｄ間の距離が仕切り壁１２の幅寸法に対して大きくなり、凸部２５ｄの互いに対向する面と仕切り壁１２との間の隙間が大きくなっていた。
【００１４】
凸部２５ｄの互いに背向する面の距離を確保しつつ、凸部２５ｄの間隔を仕切り壁１２の幅寸法に近付ける方法としては、凸部２５ｄの幅寸法を大きくする方法や、仕切り壁１２の幅寸法を大きくする方法が考えられる。しかし、上記のいずれの方法でも、幅寸法の増大に伴って成形時に発生するヒケやソリが大きくなって寸法精度が低下し、解除釦２５が仕切り壁１２やカバー２０の他の部位に引っかかり鎖錠を円滑に解除できなくなるといったことが起こりやすくなる。
【００１５】
本発明は上記事由に鑑みて為されたものであり、その目的は、解除釦のがたつきを抑えることができる端子装置を提供することにある。
【課題を解決するための手段】
【００１６】
請求項１の発明は、収納凹部が設けられたボディとボディに結合して収納凹部を覆うカバーとを有しそれぞれ収納凹部に連通し電線が挿入される複数個の電線挿入口が設けられたハウジングと、収納凹部内においてハウジング内の電線挿入口に臨む位置にそれぞれ配置され電線挿入口を通してハウジングに導入された電線が接続される複数個の端子部とを備え、各端子部は、それぞれ、電線挿入口を通してハウジングに導入された電線に接触導通する端子板と、電線挿入口を通してハウジングに導入された電線を端子板との間に鎖錠する鎖錠ばねとを有し、ボディには、互いに極性の異なる電線が接続される端子部の間を仕切る仕切り部が設けられ、仕切り部は、端子部が並ぶ方向に隙間を空けて互いに対向する複数枚の仕切り壁からなり、ハウジング外に露出してハウジング外からの押力を受ける操作部と、操作部が受けた押力を仕切り部を挟んで互いに異なる側の端子部の鎖錠ばねにそれぞれ伝達して鎖錠を解除させる２個の解除部とを有する解除釦を備え、解除釦の解除部間の隙間の幅寸法が、解除部に挟まれた仕切り部の幅寸法よりも僅かに大きいことを特徴とする。
【００１７】
この発明によれば、端子部間の仕切り壁を１枚とする場合と異なり、寸法精度の低下を招くことなく、解除釦の解除部と仕切り壁との間の距離を小さくして解除釦のがたつきを抑えることができる。また、仕切り部を１枚の仕切り壁で構成する場合に比べ、端子部間でのトラッキングの発生を抑えることができる。
【００１８】
請求項２の発明は、請求項１の発明において、２枚の仕切り壁からなる仕切り部を有することを特徴とする。
【００１９】
請求項３の発明は、請求項１又は２の発明において、合成樹脂成形品としてカバーに一体化された解除釦を有することを特徴とする。
【００２０】
この発明によれば、解除釦を別部品で構成する場合に比べ、部品点数を削減することができる。
【発明の効果】
【００２１】
本発明によれば、１個の解除釦で同時に鎖錠を解除される端子部間に、隙間を空けて互いに対向する複数枚の仕切り壁を設けたので、端子部間の仕切り壁を１枚とする場合と異なり、寸法精度の低下を招くことなく、解除釦の解除部と仕切り壁との間の距離を小さくして解除釦のがたつきを抑えることができる。また、仕切り部を１枚の仕切り壁で構成する場合に比べ、端子部間でのトラッキングの発生を抑えることができる。
【発明を実施するための最良の形態】
【００２２】
以下、本発明を実施するための最良の形態について、図面を参照しながら説明する。
【００２３】
本実施形態は、図２（ａ）（ｂ）に示すように、それぞれ電線３７（図８（ｂ）参照）が挿入される複数個（図では８個）の電線挿入口２４が設けられたハウジング１を有する。以下、上下方向は図２（ａ）を基準とし、図２（ａ）の左下−右上方向を左右方向、図２（ａ）の右下−左上方向を前後方向として説明する。
【００２４】
ハウジング１は、前後に並べて設けられた２組の電源端子台２，３と、電源端子台２，３の後側に設けられた１組の負荷端子台４とを有する。２組の電源端子台２，３のうちの一方は電源からの電線を接続するために設けられ、他方は送り配線用の電線を接続するために設けられている。通常は前側の電源端子台２に電源からの電線を接続し、後側の電源端子台３に送り配線用の電線を接続する。各電源端子台２，３は、それぞれ最も上下の幅寸法が大きくなる位置から前後に向かってそれぞれ上下の幅寸法が小さくなるように上面が傾斜しており、電線挿入口２４は、前向きの傾斜面に左右に３個並べて設けられている。電線挿入口２４のうち、右側の１個の電線挿入口２４には接地線が挿入され、左側の２個の各電線挿入口２４には互いに極性の異なる電線が挿入される。負荷端子台４は、左側の２個の電線挿入口２４の後側に設けられている。
【００２５】
また、ハウジング１は、図３に示すように、合成樹脂成形品からなり上面に収納凹部１３が設けられたボディ１０と、合成樹脂成形品からなりボディ１０に結合して収納凹部１３を覆いハウジング１の上面を構成するカバー２０とからなる。カバー２０は、下方から見てボディ１０を囲む周壁を有する。カバー２０の前側と後側の周壁にはそれぞれ組立穴２１が貫設され、ボディ１０の前面と後面とにはそれぞれ組立爪１１が突設されており、各組立爪１１がそれぞれ組立穴２１に係合することにより、ボディ１０とカバー２０とは結合している。各電線挿入口２４はそれぞれカバー２０に設けられており、ボディ１０とカバー２０とが結合した状態では収納凹部１３に連通する。また、各電線挿入口２４の上側の壁の前端部には、それぞれ上下に開放された切り欠き２４ａを設けてあり、これによって電線挿入口２４への電線３７の挿入がより容易となっている。
【００２６】
さらに、それぞれ照明器具などの器具本体（図示せず）にハウジング１を取り付けるための脚片２７を、カバー２０の前後の各端面においてそれぞれ左右に対向させて２枚ずつ突設してある。各脚片２７はそれぞれ下方に向かって間隔を狭くする方向に傾斜している。各脚片２７はそれぞれボディ１０よりも下方へ突出しており、この突出する部位には、フック２７ａが左右の外向きに突設されている。フック２７ａの突出寸法は上方へ向かって大きくなっている。ハウジング１を照明器具の器具本体に取り付ける際には、各脚片２７を互いに近付く方向に弾性変形させながら、器具本体に貫設された取付穴（図示せず）に挿入すると、各フック２７ａがそれぞれ取付穴を貫通したときに各脚片２７がそれぞれ復帰して各フック２７ａが器具本体に引掛かることによってハウジング１が器具本体に固定される。また、ボディ１０の下面には、器具本体に設けられた穴（図示せず）に挿入される１０ａが突設されている。
【００２７】
また、図４に示すように、収納凹部１３は、内底面から上方へ突設された前後方向に長い仕切り壁１２により、左右に並ぶ３個の収納室１３ａ〜１３ｃに分割されている。ここで、互いに隣接する収納室１３ａ〜１３ｃの間には、それぞれ収納室１３ａ〜１３ｃが並ぶ左右方向に隙間を空けて互いに対向する２枚ずつの仕切り壁１２が設けられている。
【００２８】
収納室１３ａ〜１３ｃのうち、右端の収納室１３ａには接地導電ブロック３１が収納され、他の２個の収納室１３ｂ，１３ｃにはそれぞれ電圧導電ブロック３２が収納されている。２個の電圧導電ブロック３２は、左右方向において互いに対称な形状となっている。
【００２９】
接地導電ブロック３１及び各電圧導電ブロック３２は、それぞれ、前後に長く収納凹部１３の底面に載置される主片３５ａと、主片３５ａの上側に前後に２個並べて設けられた端子部３４とを有する。また、接地導電ブロック３１には、ボディ１０に設けられた切り欠き１０ｂを通じてハウジング１外に露出する接地片（図示せず）が設けられており、接地片が例えば金属製の器具本体に接触導通することにより接地導電ブロック３１は接地される。さらに、電圧導電ブロック３２の主片３５ａの後側には、負荷接続部３３が設けられている。負荷接続部３３は、主片３５ａの後端から上方へ突設された連結片３３ａ（図５（ｂ）参照）と、連結片３３ａの上端から後方へ突設された端子片３３ｂと、端子片３３ｂの後端から上方へ突設された下向きＵ字形状の導入片３３ｃと、導入片３３ｃから切り起こされて上端が導入片３３ｃに連結され下方へ向かって後方へ傾斜した鎖錠片３３ｄとを備える。鎖錠片３３ｄは負荷端子台４の後面に設けられた電線挿入穴１５に臨んでいる。電線挿入穴１５に挿入された電線は、鎖錠片３３ｄの先端と端子片３３ｂとの間に挟まれる形で電圧導電ブロック３２に接触導通し、鎖錠片３３ｄの先端が食い込むことによって抜け止めされる（鎖錠される）。
【００３０】
各電圧導電ブロック３２の各端子部３４には、電圧導電ブロック３２に応じて異なる極性の電線３７が接続される。つまり、電圧導電ブロック３２に挟まれた２枚の仕切り壁１２が仕切り部が構成している。なお、各端子部３４の構造はそれぞれ従来例と共通であるので、端子部３４については対応する部分に同じ符号を付し詳細な図示並びに説明を省略する。
【００３１】
また、各電源端子台２，３には、図５（ａ）（ｂ）に示すように、それぞれ鎖錠片３５ｄを押圧して鎖錠を解除するための解除釦２５が２個ずつ設けられている。各解除釦２５は、それぞれ、カバー２０において電源端子台２，３の上面の後向きの傾斜面を構成する部位に設けられ、Ｕ字形状のスリットにより前端を除いてカバー２０の他の部位から分離され、後端部をカバー２０の他の部位に対して上下に揺動させることができる構造になっている。
【００３２】
詳しく説明すると、解除釦２５は、前端がカバー２０の他の部位に連結されカバー２０の他の部位よりも薄肉に形成されてばね性を有する支持部２５ａと、支持部２５ａの後端に連結され支持部２５ａを介してカバー２０の他の部位に対して揺動自在に支持された釦本体２５ｂとを有する。釦本体２５ｂは、図１（ａ）（ｂ）に示すように、仕切り壁１２の上側に位置しハウジング１の上面に露出する連結部２５ｃと、連結部２５ｃの左右の端部からそれぞれ下方へ突設された凸部２５ｄとを有し、断面形状が下向きに開口したコ字形状となっている。左側の解除釦２５では、各凸部２５ｄが２枚の仕切り壁１２を挟んだ反対側において互いに異なる電圧導電ブロック３２の鎖錠片３５ｄの上側に位置する。また、右側の解除釦２５では、右側の凸部２５ｄが接地導電ブロック３１の鎖錠片３５ｄの上側に位置し、左側の凸部２５ｄが１枚の仕切り壁１２を挟んで右側の突部２５ｄの反対側に位置する。
【００３３】
電線挿入穴２４に挿入された電線３７の鎖錠を解除する際には、図６（ａ）に示すように例えばマイナスドライバーのような治具４３を用いて釦本体２５ｂの連結部２５ｃを下方へ押し込めば、図６（ｂ）に示すように鎖錠片３５ｄが凸部２５ｄにより下方へ押圧されて弾性変形する。すると、鎖錠片３５ｄが案内片３５ｆから離れて鎖錠が解除され、電線３７を電線挿入穴２４から抜くことができるようになる。つまり、凸部２５ｄが請求項における解除部であり、連結部２５は請求項における操作部である。ここで、左側の解除釦２５は２個の電圧導電ブロック３２の鎖錠片３５ｄに跨っているから、左側の解除釦２５を押操作すれば電圧側の２個の電線挿入穴２４における鎖錠を同時に解除することができる。また、右側の解除釦２５を押操作すれば接地側の電線挿入穴２４における鎖錠を解除することができる。鎖錠が解除された電線３７を引き抜いた後は、解除釦２５への押力を解除すれば、解除釦２５は支持部２５ａのばね力により復帰し、鎖錠片３５ｄは自らのばね力により復帰する。
【００３４】
ところで、右側の解除釦２５の凸部２５ｄ間の距離は、凸部２５ｄに挟まれた仕切り壁１２の幅寸法よりも僅かに大きくしてあり、左側の解除釦２５の凸部２５ｄ間の距離（すなわち、凸部２５ｄ間の隙間の幅寸法）は、凸部２５ｄに挟まれた２枚の仕切り壁１２の互いに背向する面の間の距離（すなわち、仕切り部の幅寸法）よりも僅かに大きくしてある。従って、各凸部２５ｄの互いに対向する面がそれぞれ仕切り壁１２にガイドされることになり、釦本体２５ｂの左右に傾くようながたつきが抑えられるから、解除釦２５の操作がしやすくなっている。
【００３５】
また、釦本体２５ｂの下方への可動範囲は、連結部２５ｃの下面が仕切り壁１２の上端面に当接する位置までに規制されている。ここで、釦本体２５ｂの下方への可動範囲は、鎖錠片３５ｄにヘタリが発生しない程度に小さくしてある。
【００３６】
上記構成によれば、１個の解除釦２５で同時に鎖錠を解除される端子部３４間に、隙間を空けて互いに対向する２枚の仕切り壁１２を設けたので、端子部３４間の仕切り壁１２を１枚とする場合と異なり、成形時のヒケやソリによる寸法精度の低下を招くことなく、凸部２５ｄと仕切り壁１２との間の距離を小さくして解除釦２５のがたつきを抑えることができる。
【００３７】
ところで、発明が解決すべき課題で述べたように、解除釦２５が左右に傾くようにがたつく可能性がある場合には、解除釦２５の可動範囲が小さいと解除釦２５への１回の押操作で２個の端子部３４での鎖錠を確実に解除することができないため、解除釦２５の可動範囲を比較的に大きくする必要があり、これに伴って、鎖錠片３５ｄを必要以上に変形させてヘタリを発生させる可能性もある。これに対し、本実施形態では、解除釦２５のがたつきが抑えられることにより、解除釦２５への１回の押操作によって２個の端子部３４での鎖錠が確実に解除されるように確保すべき解除釦２５の可動範囲が小さくなり、端子装置の小型化が可能となる。また、鎖錠片３５ｄを必要以上に変形させることがないから、鎖錠片３５ｄのヘタリも発生しにくい。
【００３８】
また、互いに隣り合う収納室１３ａ〜１３ｃの間が、隙間を空けて対向する２枚の仕切り壁１２によって仕切られているから、１枚の仕切り壁１２によって仕切る場合に比べてトラッキングの発生を抑えることができる。
【００３９】
さらに、解除釦２５がカバー２０に合成樹脂成形品として一体に形成されているから、解除釦２５を別体の部品で構成する場合に比べて部品点数が減少する。
【図面の簡単な説明】
【００４０】
【図１】本発明を示す図であり、（ａ）は側面図、（ｂ）は（ａ）のＡ−Ａ断面図である。
【図２】（ａ）（ｂ）は互いに異なる方向から見た同上を示す斜視図であり、（ｂ）は（ａ）における左上方向から見た状態を示す。
【図３】同上を示す分解斜視図である。
【図４】同上においてカバーを除いた分解斜視図である。
【図５】同上を示す図であり、（ａ）は正面図、（ｂ）は（ａ）のＢ−Ｂ断面図である。
【図６】同上の要部を示す図１０のＣ−Ｃ断面図であり、（ａ）は解除釦に押力が加わる前の状態を示し、（ｂ）は解除釦に押力が加わった後の状態を示す。
【図７】従来例を示す分解斜視図である。
【図８】同上における各導電ブロックの端子部を示す斜視図であり、（ａ）は電線が接続されていない状態、（ｂ）は電線が接続された状態を示す。
【図９】同上の要部を示す図１０のＣ−Ｃ断面図であり、（ａ）は解除釦に押力が加わる前の状態を示し、（ｂ）は解除釦に押力が加わった後の状態を示す。
【図１０】同上の要部を示す断面図である。
【符号の説明】
【００４１】
１  ハウジング
１０  ボディ
１２  仕切り壁
１３  収納凹部
１３ａ〜１３ｃ  収納室
２０  カバー
２４  電線挿入穴
２５  解除釦
２５ｄ  凸部
３４  端子部
３５ｄ  鎖錠片
３５ｆ  案内片
３７  電線
【図１】
2007042297.tif 000003
【図２】
2007042297.tif 000004
【図３】
2007042297.tif 000005
【図４】
2007042297.tif 000006
【図５】
2007042297.tif 000007
【図６】
2007042297.tif 000008
【図７】
2007042297.tif 000009
【図８】
2007042297.tif 000010
【図９】
2007042297.tif 000011
【図１０】
2007042297.tif 000012